(57)【要約】【課題】外部からの侵入等のような異常状況が発生した場合に、その異常状況を確実に保存することができるセキュリティ装置を提供する。【解決手段】カメラ画像入力部に入力された画像データ（動画データまたは静止画データ）を大容量記憶部に格納する（Ｓ２０１）。次に、センサ情報に基づき、セキュリティ装置の設置される場所で異常状況が発生したか否かの確認を行う（Ｓ２０２）。異常状況が検出された場合、ＲＡＭに異常状況の検出日時を格納し（Ｓ２０３）、セキュリティセンターに異常状況が発生した旨を報知する（Ｓ２０４）。そして、送信処理制御部によって決定される一連の画像データを取得するのに十分な所定時間が経過した後（Ｓ２０５）、大容量記憶部に格納された画像データを情報処理装置に送信する。【選択図】図３
2006260142.tif 000002
【特許請求の範囲】
【請求項１】
セキュリティ装置であって、
(a)  センサによって検知されたセンサ情報に基づいて異常状況を検出する検出部と、
(b)  カメラからの画像データを入力する入力部と、
(c)  前記画像データを格納する大容量記憶部と、
(d)  前記画像データを情報処理装置に送信する送信部と、
(e)  前記異常状況が検出されたタイミングに基づいて、情報処理装置に送信する一連の画像データを決定する送信処理制御部と、
を備えることを特徴とするセキュリティ装置。
【請求項２】
請求項１に記載のセキュリティ装置において、
前記送信処理制御部は、前記異常状況が検出された後の前記一連の画像データを前記情報処理装置に送信することを特徴とするセキュリティ装置。
【請求項３】
請求項１に記載のセキュリティ装置において、
前記送信処理制御部は、前記異常状況が検出される前の前記一連の画像データを前記情報処理装置に送信することを特徴とするセキュリティ装置。
【請求項４】
請求項１に記載のセキュリティ装置において、
前記送信処理制御部は、前記異常状況が検出されたタイミングを含む前記一連の画像データを前記情報処理装置に送信することを特徴とするセキュリティ装置。
【請求項５】
請求項１ないし請求項４のいずれかに記載のセキュリティ装置において、
前記画像データは、動画データであることを特徴とするセキュリティ装置。
【請求項６】
請求項１ないし請求項４のいずれかに記載のセキュリティ装置において、
前記画像データは、静止画データであることを特徴とするセキュリティ装置。
【請求項７】
請求項１ないし請求項６のいずれかに記載のセキュリティ装置において、
(f)  バックアップ電源部、
をさらに備えることを特徴とするセキュリティ装置。
【請求項８】
請求項１ないし請求項７のいずれかに記載のセキュリティ装置において、
(g)  人体識別情報を読み取る読取部と、
(h)  前記人体識別情報に基づいて前記装置の動作状況の変更を可能とする動作状況制御部と、
をさらに備えることを特徴とするセキュリティ装置。
【請求項９】
請求項８に記載のセキュリティ装置において、
前記動作状況制御部は、複数の前記読取部によって読み取られた複数の前記人体識別情報に基づいて、前記装置の動作状況を変更することを特徴とするセキュリティ装置。
【請求項１０】
請求項１ないし請求項９のいずれかに記載のセキュリティ装置において、
前記異常状況が検出されたことをセキュリティセンターに報知する報知部、
をさらに備えることを特徴とするセキュリティ装置。
【発明の詳細な説明】
【技術分野】
【０００１】
本発明は、異常状況が検出された場合に、所定の処理を実行するセキュリティ装置に関する。
【背景技術】
【０００２】
従来より、留守中に外部から侵入者があった場合に、侵入者ありの情報を知ることができ、侵入者を映像として記録メディアに記録することができるセキュリティシステムが知られている（例えば、特許文献１）、また、従来より、非常事態が発生した場合に、装置側から基地局側に向けて緊急事態信号を送信することができる装置も知られている（例えば、特許文献２、３）。
【０００３】
【特許文献１】特開２０００−２２４５７２号公報
【特許文献２】特開２００２−３５８５８４号公報
【特許文献３】特開平０５−１３５２８７号公報
【発明の開示】
【発明が解決しようとする課題】
【０００４】
しかし、特許文献１ないし３のシステムおよび装置において、記録される侵入者の映像は、基地局側でなく実際に侵入者のあった装置側に保存される。そのため、侵入者がこの装置を破壊したり持ち去ったりした場合には、この装置で記録された映像を参照することができなくなる。また、侵入者が装置への電源供給を停止させた場合、この装置は映像を記録することができなくなる。このように、従来の装置が侵入者の映像を記録する機能を有していたとしても、侵入者の行為によって証拠保全を容易に妨害することができた。
【０００５】
そこで、本発明では、外部から侵入等のような異常状況が発生した場合に、その異常状況を確実に保全することができるセキュリティ装置を提供することを目的とする。
【課題を解決するための手段】
【０００６】
上記課題を解決するため、請求項１の発明は、セキュリティ装置であって、センサによって検知されたセンサ情報に基づいて異常状況を検出する検出部と、カメラからの画像データを入力する入力部と、前記画像データを格納する大容量記憶部と、前記画像データを情報処理装置に送信する送信部と、前記異常状況が検出されたタイミングに基づいて、情報処理装置に送信する一連の画像データを決定する送信処理制御部と、を備えることを特徴とする。
【０００７】
また、請求項２の発明は、請求項１に記載のセキュリティ装置において、前記送信処理制御部は、前記異常状況が検出された後の前記一連の画像データを前記情報処理装置に送信することを特徴とする。
【０００８】
また、請求項３の発明は、請求項１に記載のセキュリティ装置において、前記送信処理制御部は、前記異常状況が検出される前の前記一連の画像データを前記情報処理装置に送信することを特徴とする。
【０００９】
また、請求項４の発明は、請求項１に記載のセキュリティ装置において、前記送信処理制御部は、前記異常状況が検出されたタイミングを含む前記一連の画像データを前記情報処理装置に送信することを特徴とする。
【００１０】
また、請求項５の発明は、請求項１ないし請求項４のいずれかに記載のセキュリティ装置において、前記画像データは、動画データであることを特徴とする。
【００１１】
また、請求項６の発明は、請求項１ないし請求項４のいずれかに記載のセキュリティ装置において、前記画像データは、静止画データであることを特徴とする。
【００１２】
また、請求項７の発明は、請求項１ないし請求項６のいずれかに記載のセキュリティ装置において、バックアップ電源部、をさらに備えることを特徴とする。
【００１３】
また、請求項８の発明は、請求項１ないし請求項７のいずれかに記載のセキュリティ装置において、人体識別情報を読み取る読取部と、前記人体識別情報に基づいて前記装置の動作状況の変更を可能とする動作状況制御部と、をさらに備えることを特徴とする。
【００１４】
また、請求項９の発明は、請求項８に記載のセキュリティ装置において、前記動作状況制御部は、複数の前記読取部によって読み取られた複数の前記人体識別情報に基づいて、前記装置の動作状況を変更することを特徴とする。
【００１５】
また、請求項１０の発明は、請求項１ないし請求項９のいずれかに記載のセキュリティ装置において、前記異常状況が検出されたことをセキュリティセンターに報知する報知部、をさらに備えることを特徴とする。
【発明の効果】
【００１６】
請求項１から請求項１０に記載の発明によれば、異常状況が検出されたタイミングに基づいて決定される一連の画像データを情報処理装置に送信することができる。すなわち、セキュリティ装置が破壊されたり持ち去られたりすることによってセキュリティ装置の大容量格納部に格納された一連の画像データを確認することができなくなったとしても、情報処理装置側に送信された画像データによってセキュリティ装置側で発生した異常状況を容易に把握することができる。そのため、異常状況が発生した際の証拠保全を確実に行うことが可能となる。
【００１７】
特に、請求項２に記載の発明によれば、情報処理装置側では、異常状況が検出された後の一連の画像データにより、セキュリティ装置側で発生した異常状況を容易に把握することができる。
【００１８】
特に、請求項３に記載の発明によれば、情報処理装置側では、異常状況が検出される前の一連の画像データにより、セキュリティ装置側で発生した異常状況を容易に把握することができる。
【００１９】
特に、請求項４に記載の発明によれば、情報処理装置側では、異常状況が検出される前後の一連の画像データにより、セキュリティ装置側で発生した異常状況を容易に把握することができる。
【００２０】
特に、請求項７に記載の発明によれば、停電や人為的な行為等によって通常の電源からセキュリティ装置への電源供給が停止した場合であっても、バックアップ電源部から供給される電源によってセキュリティ装置の動作を維持することができる。そのため、通常の電源からの電源供給が停止した場合であっても、異常状況を検出し、画像データを情報処理装置に送信することができる。
【００２１】
特に、請求項８に記載の発明によれば、人体識別情報によって使用者を識別することができる。そのため、予めセキュリティ装置の動作状況を変更することに関して許可を得た使用者以外にセキュリティ装置の動作状況を変更すること（例えば、装置の動作を停止されること）を禁止できる。
【００２２】
特に、請求項９に記載の発明によれば、複数の人体識別情報を使用することにより、さらに高度な個人認証（使用者の識別処理）が可能となる。
【００２３】
特に、請求項１０に記載の発明によれば、異常状況が発生したことをセキュリティセンターに報知することができる。そのため、セキュリティセンター側では、セキュリティ装置側の異常状況に関して適切な措置を採ることが可能となる。
【発明を実施するための最良の形態】
【００２４】
以下、図面を参照しつつ本発明の実施の形態について詳細に説明する。
【００２５】
＜１．セキュリティシステムの構成＞
図１は、本実施の形態のセキュリティシステム１００およびセキュリティ装置１の構成の一例を示す図である。ここで、セキュリティシステム１００は、基地局（例えば、情報処理装置５、セキュリティセンター７）から遠隔地（例えば、セキュリティ装置１の設置されている場所）の異常状況を監視することができる監視システムである。図１に示すように、セキュリティシステム１００は、主として、情報処理装置５と、セキュリティセンター７と、セキュリティ装置１と、を備える。
【００２６】
なお、図示の都合上、図１にはセキュリティ装置１が１台しか記載されていないが、これに限定されるものでない。すなわち、セキュリティシステム１００は、２台以上のセキュリティ装置１を有していてもよい。
【００２７】
情報処理装置５は、いわゆるパーソナルコンピュータやワークステーションによって構成される。情報処理装置５は、セキュリティ装置１のアンテナ６５ａから無線送信されてアンテナ５ａで受信される画像データを記憶部（図示省略）に格納することができる。
【００２８】
セキュリティセンター７は、セキュリティ装置１が設置される場所の状況を集中的に監視する場所である。また、セキュリティセンター７には異常状況を監視する管理者が配置される。したがって、セキュリティセンター７側では、セキュリティ装置１の設置される場所で異常状況が発生した場合、警備員を急行させる等の適切な措置を行わせることができる。
【００２９】
＜２．セキュリティ装置の構成＞
次に、セキュリティ装置１の構成について説明する。ここで、セキュリティ装置１は、例えば家屋外部からの侵入等のような異常状況を監視する監視装置である。図１に示すように、セキュリティ装置１は、主として、大容量記憶部１６と、センサ情報入力部７１と、検出部７３と、カメラ画像入力部７６と、通信部６５と、送信処理制御部６６と、を備える。
【００３０】
センサ情報入力部７１は、複数のセンサ７２によって検知されたセンサ情報をセキュリティ装置１に取り込む。センサ情報入力部７１は、例えば、家屋の開閉部（ドアや窓等）の開閉状況や、開閉部にかかる荷重状況を検出することができる複数のセンサ７２と無線通信により接続される。すなわち、センサ７２で検知されるセンサ情報は、センサ７２のアンテナ７２ａから送信されてアンテナ７１ａで受信されることにより、センサ情報入力部７１に入力される。
【００３１】
検出部７３は、センサ７２によって検知されたセンサ情報に基づいて異常状況を検出する。例えば、ドア等の開閉部に加えられる荷重が所定値以上となった場合、検出部７３は異常状況が発生したと判断する。また、検出部７３は、異常状況が検出されたタイミング（日時）をＲＡＭ１２に格納することができる。
【００３２】
カメラ画像入力部７６は、複数のカメラ７７によって撮影された画像データ（動画データ、または、静止画データ）をセキュリティ装置１に取り込む。カメラ画像入力部７６は、複数のカメラ７７と無線通信により接続されている。すなわち、各カメラ７７で撮影された画像データは、アンテナ７７ａから送信されてアンテナ７１ａで受信されることにより、カメラ画像入力部７６に入力される。そして、入力された画像データは、撮影された日時と関連付けられて大容量記憶部１６に格納される。
【００３３】
ここで、本実施の形態のセキュリティ装置１では、大容量記憶部１６に応じて、古い画像データを消去しながら新しい画像データの保存する処理がエンドレスに実行されるが、これに限定されるものでない。例えば、異常状況が発生した後の画像データが証拠保全において特に重要な場合、異常状況が検出された後に画像データを保存する処理が開始されてもよい。
【００３４】
送信処理制御部６６は、無線通信により接続された情報処理装置５に送信する一連の画像データを決定する。上述のように、大容量記憶部１６に格納される各画像データは、撮影された日時と関連付けて保存されている。そこで、送信処理制御部６６では、大容量記憶部１６に格納される画像データにつき、その撮影日時に基づいて情報処理装置５に送信する画像データを決定する。
【００３５】
例えば、画像データが静止画データの場合、静止画データのうち撮影日時が所定範囲となるものが大容量記憶部１６から選択され、選択された静止画データが情報処理装置５に送信される。また、画像データが動画データの場合、大容量記憶部１６に格納された動画データのうち撮影日時が所定範囲となる部分が抽出され、この部分が情報処理装置５に送信される。
【００３６】
また、送信処理制御部６６は、異常状況が検出されたタイミングに基づいて、情報処理装置５に送信される一連の画像データの範囲を決定することができる。
【００３７】
例えば、異常状況が発生した後の画像データが証拠保全において重要と考えられる場合には、異常状況が検出された後の画像データを情報処理装置５に送信してもよい。また、異常状況が発生する前の画像データが重要と考えられる場合には、異常状況が検出される前の画像データを送信してもよい。さらに、異常状況が検出される前後の画像データが証拠保全において重要と考えられる場合には、異常状況が検出されたタイミングを含む画像データを情報処理装置５に送信してもよい。
【００３８】
表示部５１は、いわゆる液晶ディスプレイによって構成される。操作部５２は、例えばキーパッドによって構成される入力部である。セキュリティ装置１の使用者（以下、単に、「使用者」と呼ぶ）は、表示部５１の表示内容に基づいた入力作業を行うことにより、セキュリティ装置１に対して所定の処理を実行させることができる。
【００３９】
動作状況制御部６８は、使用者の指示に従い、人体識別情報に基づいてセキュリティ装置１の動作状況の変更を可能とする。例えば、使用者が操作部５２を操作してセキュリティ装置１の動作を開始させる処理を選択した場合、動作状況制御部６８は、検出部７３によって異常状況を監視する処理を実行させる。また、使用者がセキュリティ装置１の動作を停止させる処理を選択した場合、動作状況制御部６８は、検出部７３による監視処理を停止させる。
【００４０】
人体識別情報読取部６１、６２は、使用者を一意に識別することができる人体識別情報（例えば、指紋、顔、虹彩、掌形、および静脈（血管）パターン、声紋、署名筆跡等）を読み取ってセキュリティ装置１に入力する。
【００４１】
ここで、動作状況制御部６８によって実行されるセキュリティ装置１の動作状況の変更処理は、セキュリティ上、所定の権限を有する者のみ行えるようにすることが好ましい。そこで、本実施の形態では、セキュリティ装置１の動作状況の変更処理を実行できる権限を有する者の人体識別情報をＲＡＭ１２に登録するとともに、人体識別情報読取部６１、６２によって読み取られた人体識別情報と、登録された人体識別情報とが一致する場合にのみ、セキュリティ装置１の動作状況の変更を可能としている。
【００４２】
バックアップ電源部６４は、通常の電源からの電源供給が停止した場合に、セキュリティ装置１に電源を供給する非常用電源である。これにより、停電や人為的な行為（例えば、侵入者がセキュリティ装置１の電源線（図示省略）が切断すること）によってセキュリティ装置１への電源供給が停止させられた場合であっても、異常状況を検出し、画像データを情報処理装置５に送信することができる。
【００４３】
報知部６７は、セキュリティセンター７と無線通信によって接続されている。報知部６７は、セキュリティ装置１で異常状況が検出された場合に、セキュリティ装置１の設置された場所で異常状況が発生したことをセキュリティセンター７の管理者に報知することができる。そのため、セキュリティセンター７側では、セキュリティ装置１側の異常状況につき、適切な措置を行うことができる。
【００４４】
ＲＡＭ１２は、読み書き自在のメモリ（記憶部）であり、例えば動作状況変更処理の実行権限を有する者の人体識別情報や、異常状況が検出されたタイミング（日時）を格納することができる。
【００４５】
大容量記憶部１６は、シリコンディスクドライブやハードディスクドライブ等のようにＲＡＭ１２と比較して記憶容量の大きな素子によって構成される。したがって、大容量記憶部１６には、カメラ７７で撮影された画像データのようにファイルサイズの比較的大きなデータが保存される。そして、必要に応じてＲＡＭ１２との間でデータの授受が行われる。
【００４６】
ＲＯＭ１３は、読出し専用メモリーであり、主制御部１１は、ＲＯＭ１３に格納されたプログラムに従った制御を実行する。また、主制御部１１は、ＲＯＭ１３、ＲＡＭ１２、大容量記憶部１６、人体識別情報読取部６１、６２、通信部６５、送信処理制御部６６、動作状況制御部６８、センサ情報入力部７１、検出部７３、およびカメラ画像入力部７６等と信号線１５を介して電気的に接続される。したがって、主制御部１１は、このプログラムに従って、セキュリティ装置１の動作状況の変更処理（動作の開始または停止）、異常状況の検出処理、および画像データの送信処理等を所定のタイミングで実行することができる。
【００４７】
なお、本実施の形態において、セキュリティ装置１の動作を制御するプログラムはＲＯＭ１３に格納されているが、これに限定されるものでない。例えば、読み書き自在の不揮発性メモリであるフラッシュメモリに当該プログラムを格納してもよい。
【００４８】
＜３．セキュリティ装置の動作開始および動作停止の手順＞
図２は、セキュリティ装置１の動作を開始させる処理および動作を停止させる処理の手順を示すフローチャートである。ここでは、人体認証（人体識別情報を利用して使用者を識別し、その使用者が所定の処理を実行することにつき、権限を有するか否かの判断を行うこと）を利用してセキュリティ装置１の動作状況を変更する処理について説明する。
【００４９】
ステップＳ１０１では、操作部５２からの入力状況を監視することにより、所定の処理が選択されたか否かの確認が行われる。使用者によってセキュリティ装置１の動作を開始する処理が選択された場合、ＲＡＭ１２に確保された変数「ＦＬＡＧ」に「Ｔｒｕｅ」が格納される（Ｓ１０２）。一方、セキュリティ装置１の動作を停止する処理が選択された場合、変数「ＦＬＡＧ」に「Ｆａｌｓｅ」が格納される（Ｓ１０３）。
【００５０】
次に、ステップＳ１０１において処理を選択した使用者の人体識別情報を人体識別情報読取部６１によって読み取る。続いて、読み取られた人体識別情報とＲＡＭ１２に格納された人体識別情報とが比較される。そして、両人体識別情報が一致する場合（Ｓ１０４）、ステップＳ１０５に進む。一方、両人体識別情報が一致せず、その使用者が動作状況の変更処理に関して権限を有さないと判断される場合、ステップＳ１０１に戻る。
【００５１】
ここで、セキュリティ装置１の動作状況を変更処理に関して権限を持つ使用者が１人の場合、ＲＡＭ１２にはその使用者の人体識別情報が登録される。また権限を持つ使用者が複数存在する場合、ＲＡＭ１２には、権限を有するそれぞれの使用者の人体識別情報が登録される。
【００５２】
ステップ１０５では、ステップＳ１０４と同様に人体識別情報を利用し、使用者が動作状況の変更処理につき権限を有するか否かの確認が行われる。すなわち、人体識別情報読取部６２によって使用者の人体識別情報が読み取られる。続いて、読み取られた人体識別情報とＲＡＭ１２に格納された人体識別情報とが比較される。
【００５３】
そして、両人体識別情報が一致する場合、ステップＳ１０６に進む。一方、両人体識別情報が一致せず、その使用者が動作状況の変更処理に関して権限を有さないと判断される場合、ステップＳ１０１に戻る。
【００５４】
なお、人体識別情報読取部６１によって読み取られる人体識別情報と、人体識別情報読取部６２で読み取られる人体識別情報とは、同種のもので読取部位が異なるものであればよい。例えば、人体識別情報として「指紋」を読み取る場合、同一使用者の右手および左手の人差し指の指紋を読み取ってもよいし、複数の使用者の「指紋」を読み取ってもよい。また、同種の人体識別情報を読み取る場合は、１つの人体識別情報読取部によって読み取ってもよい。さらに、両人体識別情報は、異種のもの（例えば、「指紋」と「虹彩」）であってもよい。
【００５５】
このように、本実施の形態では、２つの人体識別情報読取部６１、６２によって使用者の人体識別情報を読み取ることができる。すなわち、ステップＳ１０４の人体認証処理、およびステップＳ１０５の人体認証処理を実行することにより、許可を得た使用者以外にセキュリティ装置１の動作状況を変更する処理を禁止することができる。また、複数（本実施の形態では、２つ）の人体識別情報を使用することにより、さらに高度な個人認証が可能となる。
【００５６】
ステップＳ１０６では、変数「ＦＬＡＧ」に格納された値に基づいて、動作状況の変更処理が実行される。すなわち、変数「ＦＬＡＧ」に「Ｔｒｕｅ」が格納されている場合には、セキュリティ装置１の動作を開始させる処理が実行される（Ｓ１０７）。一方、変数「ＦＬＡＧ」に「Ｆａｌｓｅ」が格納されている場合には、セキュリティ装置１の動作を停止させる処理が実行される（Ｓ１０８）。そして、ステップＳ１０７、Ｓ１０８の処理が完了すると、ステップＳ１０１に戻る。
【００５７】
＜４．セキュリティ装置による画像データの送信手順＞
図３は、セキュリティ装置１による画像データの送信手順を示すフローチャートである。本手順では、まずカメラ７７によって撮影されるカメラ画像入力部７６に入力された画像データ（動画データまたは静止画データ）を大容量記憶部１６に格納する処理が開始される（Ｓ２０１）。
【００５８】
次に、センサ７２からのセンサ情報に基づき、セキュリティ装置１の設置される場所で異常状況が発生したか否かの監視処理が行われる（Ｓ２０２）。検出部７３によって異常状況が検出された場合、ＲＡＭ１２に異常状況の検出日時が格納され（Ｓ２０３）、報知部６７によってセキュリティセンター７に異常状況が発生した旨が報知される（Ｓ２０４）。なお、異常状況が検出された後も、大容量記憶部１６に画像データが格納され続ける。
【００５９】
そして、送信処理制御部６６によって決定される一連の画像データを取得するのに十分な所定時間が経過した後（Ｓ２０５）、大容量記憶部１６に格納された画像データが情報処理装置５に送信される。
【００６０】
＜５．本実施の形態のセキュリティ装置の利点＞
以上のように、本実施の形態のセキュリティ装置１は、異常状況が検出されたタイミング（日時）に基づいて決定される一連の画像データを情報処理装置５に送信することができる。これにより、セキュリティ装置１が破壊されたり持ち去られたりすることによってセキュリティ装置１の大容量記憶部１６に格納された一連の画像データを確認することができなくなったとしても、情報処理装置５側に送信された画像データによってセキュリティ装置１で発生した異常状況を容易に把握することができる。そのため、異常状況が発生した際の証拠保全を確実に行うことが可能となる。
【００６１】
＜６．変形例＞
以上、本発明の実施の形態について説明してきたが、本発明は上記実施の形態に限定されるものではなく様々な変形が可能である。
【００６２】
（１）本実施の形態においてセキュリティ装置１は表示部５１および操作部５２を備えるものとして説明したが、これに限定されるものでない。異常状況の監視処理において表示部５１および操作部５２が不要な場合、セキュリティ装置１に表示部５１および操作部５２を設けず、必要な場合に、外部装置として使用可能な表示部および操作部を利用してもよい。これにより、セキュリティ装置１のサイズを小型化できるとともに、セキュリティ装置１の製造コストを低減させることができる。
【００６３】
（２）また、本実施の形態において、通信部６５および情報処理装置５、報知部６７およびセキュリティセンター７、センサ７２およびセンサ情報入力部７１、カメラ７７およびカメラ画像入力部７６のそれぞれは、無線通信で接続されるものとして説明したが、これに限定されるものでなく、それぞれは有線通信によって接続されていてもよい。
【図面の簡単な説明】
【００６４】
【図１】本発明の実施の形態におけるセキュリティシステムおよびセキュリティ装置の構成の一例を示す図である。
【図２】セキュリティ装置の動作開始および動作停止の手順を示すフローチャートである。
【図３】セキュリティ装置による画像データの送信手順を示すフローチャートである。
【符号の説明】
【００６５】
１  セキュリティ装置
５  情報処理装置
７  セキュリティセンター
１１  主制御部
１２  ＲＡＭ
１３  ＲＯＭ
１６  大容量記憶部
６１、６２  人体識別情報読取部
６４  バックアップ電源部
６５  通信部
６６  送信処理制御部
６７  報知部
６８  動作状況制御部
７１  センサ情報入力部
５ａ、６５ａ、７１ａ、７２ａ、７６ａ、７７ａ  アンテナ
７２  センサ
７３  検出部
７６  カメラ画像入力部
７７  カメラ
１００  セキュリティシステム
【図１】
2006260142.tif 000003
【図２】
2006260142.tif 000004
【図３】
2006260142.tif 000005